(57)【要約】【課題】簡単な構成で、ダンパ装置の回転軸の凍結を防止する。【解決手段】冷蔵庫内に設けられるダンパ装置４１は、ダクト３２の通路を上下に仕切る（塞ぐ）ように配置され、通気用の矩形状の開口部を有するフレーム部４５と、開口部を開閉するバッフル板４３と、このバッフル板４３を回転軸を介して回動させる駆動機構部４６とを有する。熱容量の大きいモータを有する駆動機構部４６を覆う断熱覆い部５１を設ける。断熱覆い部５１をダクト形成部材３３に一体に設ける。バッフル板４３の内面に設けられるシート部材４９を、独立気泡を有する発泡ポリエチレンから構成する。【選択図】図１
2008070052.tif 000002
【特許請求の範囲】
【請求項１】
冷却器で生成された冷気を貯蔵室へ送るダクト内に、冷気の流量を制御するダンパ装置を設けた冷蔵庫において、
前記ダンパ装置は、
前記ダクトの壁部に嵌込まれた状態に配置され、ケース内に、モータを含んだ駆動機構を備える駆動機構部と、
この駆動機構部に、前記ケースのうち前記ダクトの内側を向く一側面の下部から突出するように設けられ、前記駆動機構により回転される回転軸と、
前記駆動機構部のケースの一側面の下部から前記ダクト内側に延びて、該ダクトの通路を上下に区切るように配置され、内側に通気用の開口部を有するフレーム部と、
前記回転軸に取付けられ、回動により前記フレーム部の開口部を開閉するバッフル板とを備えて構成されていると共に、
前記駆動機構部のケースの一側面が、断熱材で覆われた状態で組付けられていることを特徴とする冷蔵庫。
【請求項２】
前記ケースの一側面を覆う断熱材は、前記ダクトの壁部を構成する断熱部材に一体に設けられていることを特徴とする請求項１記載の冷蔵庫。
【請求項３】
冷却器で生成された冷気を貯蔵室へ送るダクト内に、冷気の流量を制御するダンパ装置を設けた冷蔵庫において、
前記ダンパ装置は、
前記ダクトの壁部に嵌込まれた状態に配置され、ケース内に、モータを含んだ駆動機構を備える駆動機構部と、
この駆動機構部に、前記ケースのうち前記ダクトの内側を向く一側面の上部から突出するように設けられ、前記駆動機構により回転される回転軸と、
前記駆動機構部のケースの一側面の上部から前記ダクト内側に延びて、該ダクトの通路を上下に区切るように配置され、内側に通気用の開口部を有するフレーム部と、
前記回転軸に取付けられ、回動により前記フレーム部の開口部を開閉するバッフル板とを備えて構成されていることを特徴とする冷蔵庫。
【請求項４】
前記バッフル板には、前記フレーム部の開口部を閉塞したときに、該開口部の周囲部に密着するシール部材が設けられ、
前記シール部材は、独立気泡を有する軟質発泡体から構成されていることを特徴とする請求項１ないし３のいずれかに記載の冷蔵庫。
【発明の詳細な説明】
【技術分野】
【０００１】
本発明は、冷却器で生成された冷気を貯蔵室に送るダクト内に、冷気の流通を制御するダンパ装置を具備した冷蔵庫に関する。
【背景技術】
【０００２】
従来より、家庭用の冷蔵庫においては、冷蔵庫本体の背面部の下部寄り部位に、冷却器を備えた冷却器室が設けられていると共に、その冷却器室から上方に延びて、生成された冷気を貯蔵室（冷蔵室や切替室）に送るためのダクトが設けられている。そして、前記ダクトには、例えば切替室へ供給する冷気の流通を制御するためのダンパ装置が組付けられている（例えば特許文献１参照）。
【０００３】
図５は、この種のダンパ装置１の外観を示している。即ち、このダンパ装置１は、ダクトを上下に仕切る（塞ぐ）ように配置されているフレーム部２と、このフレーム部２の開口部３を開閉するバッフル板４と、このバッフル板４を回動する駆動機構部５とを一体にユニット化して構成されている。
【０００４】
前記駆動機構部５は、やや縦長の矩形箱状をなす合成樹脂製のケース６内に、モータ７やギヤ機構（図示せず）等の駆動機構を組込んで構成されている。そして、ケース６のダクトの内側を向く内側面６ａの下部左端部から水平に突出するように設けられた回転軸８を回動駆動するようになっている。
【０００５】
前記バッフル板４は合成樹脂から矩形板状に構成されており、前記回転軸８に連結されている。また、このバッフル板４の内面（下面）には、フレーム部２の開口部３を閉塞したときに、開口部３の周囲部に密着するシール部材９が設けられている。このシール部材９は、連続気泡を有する軟質材料、例えば発泡ポリウレタンから構成されている。
前記フレーム部２は、合成樹脂から矩形枠状に構成され、前記駆動機構部５のケース６の内側面６ａの下部から、ダクトの内側に延びるように、該ケース６に一体に設けられている。
【０００６】
このダンパ装置１は、図示はしないが、前記駆動機構部５が、ダクトの壁部を構成する断熱材の凹部内に嵌込まれるようにして組込まれている。このとき、前記フレーム部２の幅方向Ｗ１は、ダクトの通路の幅方向と同等とされ、前記ケース６の内側面６ａがダクトの内側に臨むように配置されている。そして、前記モータ７が制御装置（図示せず）により、通電制御されることにより、バッフル板４を開閉動作させ、以ってダクトから貯蔵室内への冷気の流通を制御するようになっている。
【特許文献１】特開平１０−２０５９５７号公報
【発明の開示】
【発明が解決しようとする課題】
【０００７】
ところで、上記した冷蔵庫においては、冷却器の着霜が多くなることにより冷却効率が低下する。そのため、例えば定期的（積算運転時間が所定時間に達したとき）に、冷却運転を停止して、除霜ヒータに通電する除霜運転が行われる。この除霜運転では、ヒータの熱により冷却器の霜が溶かされるため、冷却器室内（ダンパ装置１の下部）に、比較的高温の湿った空気が充満する。
【０００８】
ここで、上記従来のダンパ装置１にあっては、ほとんどの部材が合成樹脂から構成されているものの、ケース６内には金属製のモータフレームを有するモータ７が内蔵されているため、この部分の熱容量が他の部分よりも大きく、除霜運転時においてもさほど温度上昇しない（低温状態が続く）事情がある。そのため、例えば除霜運転後のバッフル板４の開放時に、ケース６の内側面６ａ部分に結露が生じ、その結露水が流れ落ちて回転軸８付近に溜まることがある。
【０００９】
このように、回転軸８付近に結露水が溜まると、その後の冷却運転時にその水が凍結し、回転軸８ひいてはバッフル板４の開閉動作に支障をきたす虞がある。
従来では、このダンパ装置１の結露防止のために、駆動機構部５のケース６を加熱するためのヒータ、例えばアルミ箔にコードヒータを貼付けた面ヒータを取付けることも一部行われている。しかしながら、ヒータの付加による構成の複雑化や電力消費の増加を招いてしまう不具合がある。
【００１０】
本発明は、上記の事情に鑑みてなされたものであり、その目的は、ダクト内にダンパ装置を設けたものにあって、簡単な構成でダンパ装置の回転軸の凍結を防止することができる冷蔵庫を提供するものである。
【課題を解決するための手段】
【００１１】
本発明の第１の冷蔵庫は、冷却器で生成された冷気を貯蔵室へ送るダクト内に、冷気の流量を制御するダンパ装置を設けた冷蔵庫において、前記ダンパ装置は、前記ダクトの壁部に嵌込まれた状態に配置され、ケース内にモータを含んだ駆動機構を備える駆動機構部と、この駆動機構部に、前記ケースのうち前記ダクトの内側を向く一側面の下部から突出するように設けられ、前記駆動機構により回転される回転軸と、前記駆動機構部の前記ケースの一側面の下部から前記ダクト内側に延びて設けられ、前記ダクトの通路を上下に区切るように配置され、内側に通気用の開口部を有するフレーム部と、前記回転軸に取付けられ、前記開口部を開閉するバッフル板とを備えて構成されていると共に、前記駆動機構部のケースの一側面が、断熱材で覆われた状態で組付けられていることを特徴としている（請求項１の発明）。
【００１２】
本発明の第２の冷蔵庫は、冷却器で生成された冷気を貯蔵室へ送るダクト内に、冷気の流量を制御するダンパ装置を設けた冷蔵庫において、前記ダンパ装置は、前記ダクトの壁部に嵌込まれた状態に配置され、ケース内にモータを含んだ駆動機構を備える駆動機構部と、この駆動機構部に、前記ケースのうち前記ダクトの内側を向く一側面の上部から突出するように設けられ、前記駆動機構により回転される回転軸と、前記駆動機構部の前記ケースの一側面の上部から前記ダクト内側に延びて設けられ、前記ダクトの通路を上下に区切るように配置され、内側に通気用の開口部を有するフレーム部と、前記回転軸に取付けられ、前記開口部を開閉するバッフル板とを備えて構成されていることを特徴としている（請求項３の発明）。
【００１３】
本発明においては、前記ダンパ装置のバッフル板に、前記フレーム部の開口部を閉塞したときに該開口部の周囲部に密着するシール部材を設け、そのシール部材を、独立気泡を有する軟質発泡体から構成することができる(請求項４の発明)。
【発明の効果】
【００１４】
本発明の請求項１の冷蔵庫によれば、ダンパ装置の駆動機構部ケースの一側面が断熱材で覆われていることにより、ケースがダクト内に露出することがなくなると共に、熱容量が比較的大きいモータ部分に対して、ダクト内の熱的な影響を及ぼしにくくすることができる。これにより、除霜運転時のダンパ装置部分における結露の発生を抑制することができる。この結果、結露水が回転軸を凍結させることを未然に防止することができ、バッフル板の開閉動作に支障をきたすといった不具合を防止することができる。また、この場合、ヒータを設けるものと異なり、ケースの一側面を断熱材で覆うという簡単な構成で済ませることができる。
【００１５】
本発明の請求項３の冷蔵庫によれば、ダンパ装置の回転軸がケースの上部に配置されているので、除霜運転時にケースの一側面に結露が生じても、その結露水が回転軸付近に溜まることはない。この結果、回転軸の凍結を防止することができ、また、駆動機構部と、フレーム部との配置を変更するだけの簡単な構成で済ませることができる。
【００１６】
本発明の請求項４の冷蔵庫によれば、バッフル板のシール部材に、独立気泡を有する材料を採用したことにより、連続気泡を有する材料に比べてシール部材への吸湿を抑えることができる。この結果、バッフル板が開口部を閉じた状態で、シール部材とフレーム部とが凍結し、バッフル板が開かなくなる不具合の発生を未然に防止することができる。
【発明を実施するための最良の形態】
【００１７】
以下、本発明の第１の実施形態について図１ないし図３を参照して説明する。
図２は、ボトムフリーザタイプの冷蔵庫本体１１の構成を概略的に示す断面図である。この図２において、冷蔵庫本体１１は、前面が開口した縦長矩形箱状の断熱箱体１２内に、上段から順に、冷蔵室１３、切替室１４、野菜室１５、冷凍室１６の各貯蔵室を有して構成されている。これら各貯蔵室１３〜１６の前面部には、ヒンジ開閉式の冷蔵室扉１７、引出式の切替室扉１８、野菜室扉１９、冷凍室扉２０がそれぞれ設けられている。尚、図示はしないが、切替室１４に並んで製氷室が設けられている。また、前記切替室１４は、ユーザの操作により複数の温度帯を切替えることが可能に構成され、冷凍室、パーシャル室、チルド室、冷蔵室等に切替えて使用できるようになっている。このとき、切替室１４内には、該切替室１４内の温度を検出するための切替室温度センサ２１が設けられている。
【００１８】
一方、詳しく図示はしないが、冷蔵庫本体１１には、いわゆる２エバタイプの冷凍サイクル装置２２が組込まれている。図２に示すように、冷蔵庫本体１１の背面部の下端部には、機械室２３が形成されている。この機械室２３内には、冷凍サイクル装置２２を構成する圧縮機及び凝縮器（共に図示せず）が設けられていると共に、放熱ファン２４及び蒸発皿２５が設けられている。
【００１９】
また、冷蔵庫本体１１の本体の背面部の下部寄り部位には、冷凍サイクル装置２２を構成する冷蔵室用冷却器（図示せず）及び冷凍室用冷却器２６が組込まれる。
このとき、野菜室１５の奥部には、冷蔵室用冷却器室（図示せず）及び冷凍室用冷却器室２７が前後に重なるように設けられている。前記冷蔵室用冷却器室内に、前記冷蔵室用冷却器が冷蔵室用送風ファン（図示せず）と共に配設されている。この冷蔵室用送風ファンが駆動されると、冷蔵室用冷却器により生成された冷気が、送風ダクト２８を通って冷蔵室１３及び野菜室１５に供給された後、再び冷蔵室用冷却器室内の下部に戻される構成とされている。
【００２０】
前記冷凍室用冷却器室２７内には、前記冷凍室用冷却器２６が設けられると共に、その上方に冷凍室用送風ファン２９が設けられている。この場合、前記冷蔵室用冷却器は、前記冷凍室用冷却器２６とは左右にずれた位置に設けられている。また、冷凍室用冷却器２６の周囲には、除霜ヒータ３０が設けられていると共に、冷凍室用冷却器２６の近傍には除霜センサ３１が設けられている。
【００２１】
前記冷凍室用送風ファン２９が駆動されると、冷凍室用冷却器２６で生成された冷気が、図示しない送風ダクトを通って製氷室及び冷凍室１６に供給され、再び冷凍室用冷却器室２７内の下部に戻されるようになっている。さらに、冷蔵庫本体１１の背壁部には、前記冷凍室用冷却器室２７の上部から連続して上方に延び、冷凍室用冷却器２６により生成された冷気を前記切替室１４に送るためのダクト３２が設けられている。このダクト３２は、冷蔵庫本体１１の背壁部に、例えば発泡スチロール製の断熱部材たるダクト形成部材３３（図１参照）を配設することにより構成されるようになっている。そして、詳しくは後述するように、このダクト３２内には、前記切替室１４への冷気の流通を制御するためのダンパ装置４１が設けられている。
【００２２】
尚、詳しい説明は省略するが、前記冷凍サイクル装置２２は、冷凍室用冷却器２６と、冷蔵室用冷却器と並列接続して構成されると共に、それらに対する冷媒の流通を切替えるための切替弁（図示せず）を有している。また、冷蔵庫本体１１には、全体を制御するためのマイコン等からなる制御装置（図示せず）が組込まれ、前記切替弁は、その制御装置により制御されるようになっている。このとき、制御装置は、各貯蔵室１３〜１６の検出温度や時間等に基づいて前記切替弁を制御し、冷凍室用冷却器２６に冷媒を流す冷凍室冷却モードと、冷蔵室用冷却器に冷媒を流す冷蔵室冷却モードとを交互に繰返す制御を行う。
【００２３】
また、制御装置は、前記切替室温度センサ２１の検出温度に基づいて、切替室１４を設定温度に維持するべくダンパ装置４１（後述するモータ４２）を制御するようになっている。さらに、制御装置は、冷凍室冷却モードの実行時間の積算値が所定時間（例えば１０時間）に達する毎に、除霜運転を実行するようになっている。この除霜運転は、冷凍サイクルの冷却運転を停止した状態で、前記除霜ヒータ３０が所定温度（例えば８度）以上の温度を検出することに基づいて終了される。尚、除霜運転時には、後述するダンパ装置４１のバッフル板４３は閉塞状態となる。
【００２４】
さて、前記ダンパ装置４１について図１、図３（ａ）及び（ｂ）を参照して説明する。まず、図３（ａ）及び（ｂ）は、ダンパ装置４１の外観を示している。即ち、このダンパ装置４１は、ダクト３２の通路を上下に仕切る（塞ぐ）ように配置され、内側に通気用の矩形状の開口部４４を有するフレーム部４５と、フレーム部４５の開口部４４を開閉するバッフル板４３と、このバッフル板４３を回動する駆動機構部４６とを一体にユニット化して構成されている。
【００２５】
前記駆動機構部４６は、やや縦長の矩形箱状に構成された合成樹脂例えばＡＢＳ（アクリロニトリル・ブタジエン・スチレン）樹脂製のケース４７内に、金属製のモータフレームを有するモータ４２及びギヤ機構（図示せず）等からなる駆動機構を配設して構成されている。そして、ケース４７のダクト３２の内側を向く一側面である内側面４７ａの下部左端部から水平に突出するように回転軸４８が設けられている。回転軸４８は、前記モータ４２が制御装置（図示せず）により、通電制御されることにより、回動する構成である。
【００２６】
前記フレーム部４５は、周囲（三方）に立上り壁を有すると共に、底部中央に開口部４４を有するほぼ矩形容器状をなし、前記駆動機構部４６のケース４７の内側面４７ａの下部から、ダクト３２の内側に延びるように該ケース４７に一体に形成されている。このとき、図３（ｂ）に示すように、本実施形態のダンパ装置４１は、従来例で示したダンパ装置１と比べて、フレーム部４５に幅寸法Ｗ２が、フレーム部２の幅方向Ｗ１ひいてはダクト３２の通路の幅方向よりも、寸法α（例えば１０ｍｍ）だけ大きく構成されている。従って、前記回転軸４８の長さ寸法も、従来のもの（回転軸８）よりも寸法αだけ長く構成されている。従って、前記開口部４４は、駆動機構部４６の内側面４７ａからその分だけ離された位置に形成されている。
【００２７】
前記バッフル板４３は、前記ケース４７と同種の合成樹脂から矩形板状に形成され、前記回転軸４８に連結されている。このバッフル板４３の内面（下面）には、フレーム部４５の開口部４４を閉塞したときに、開口部４４の周囲部に密着するシール部材４９が接着により固定されている。
シール部材４９は、独立気泡を有する軟質材料、例えば発泡ポリエチレンから構成されている。
【００２８】
図示はしないが、前記駆動機構部４６のケース４７の上部には、コネクタ（図示せず）が設けられ、このコネクタを介して、前記制御装置（モータ駆動回路）に接続されるようになっている。これにより、前記モータ４２が、制御装置により通電制御されることにより、バッフル板４３が、図３（ａ）に示す閉塞状態と、図３（ｂ）に示す開放状態との間で開閉動作され、もって開口部４４を通した冷気の流通が制御されるようになっている。
【００２９】
そして、次に述べるように、このダンパ装置４１は、ダクト３２内に組込まれる際に、前記ケース４７の内側面４７ａが断熱材で覆われた状態とされるようになっている。このときの断熱材（後述する断熱覆い部５１）の厚み寸法が、上記寸法αとほぼ同等とされる。また、本実施形態では、ケース４７の内側面４７ａを覆う断熱材が、ダクト３２の壁部を構成する断熱部材たるダクト形成部材３３に一体に設けられている。
【００３０】
上記構成のダンパ装置４１は、次のようにして、ダクト３２に取付けられている。即ち、詳しく図示はしないが、前記ダクト形成部材３３は、左右に二分割された２つの断熱部材から構成される。図１に示すように、これら２つの断熱部材を組合せた状態では、前記ダクト３２を構成する空間部が上下に延びて形成される。これと共に、前記ダクト３２の後壁を構成する部分に、前記ダンパ装置４１の駆動機構部４６が収容される矩形状の空洞部５２と、その下部と前記ダクト３２とをつなぎ前記フレーム部４５が通される開口部５３とが形成される。さらに、ダクト３２の前壁及び後壁を構成する部位にダンパ装置４１のフレーム部４５の下端を係支する凸部５４，５４が形状されている。また、上記構成のダクト形成部材３３によって、前記空洞部５２とダクト３２内との間に、前記ケース４７の内側面４７ａを覆う断熱材からなる断熱覆い部５１が設けられるようになる。
【００３１】
前記ダンパ装置４１は、前記ダクト形成部材３３を構成する２つの断熱部材が分離した状態で、空洞部５２内に駆動機構部４６が収容され、且つ、開口部５３を通してフレーム部４５がダクト３２内に突出するように嵌込まれる。その状態で、２つの断熱部材が連結されることにより、ダンパ装置４１が組込まれたダクト形成部材３３が構成される。そして、このダクト形成部材３３が冷蔵庫本体１１（冷凍室用冷却器室２７の上部）に組付けられるようになっている。
【００３２】
次に上記構成の冷蔵庫の作用及び効果について述べる。
上記構成においては、ダンパ装置４１の駆動機構部４６のケース４７の内側面４７ａが断熱材からなる断熱覆い部５１で覆われていることにより、ケース４７がダクト３２内に露出することがなくなると共に、熱容量が比較的大きいモータ４２にダクト３２内の熱的な影響を及ぼしにくくすることができる。これにより、除霜運転時のダンパ装置４１における結露の発生を抑制することができる。この結果、結露水が回転軸４８付近に溜って、回転軸４８を凍結させることを未然に防止することができ、バッフル板４３の開閉動作に支障をきたすといった不具合を防止することができる。また、この場合、従来のようなダンパ装置にヒータを設けるものと異なり、ケース４７の内側面４７ａを断熱覆い部５１で覆うという簡単な構成で済ませることができる。
【００３３】
また、本実施形態では、バッフル板４３に貼着されるシール部材４９に、独立気泡を有する材料を採用したことにより、従来の連続気泡を有する材料に比べてシール部材４９の吸湿を抑えることができる。この結果、バッフル板４３が開口部４４を閉じた状態で、フレーム部４５とシール部材４９とが凍結し、バッフル板４３が開かなくなる不具合の発生を未然に防止することができる。
さらに、ダンパ装置４１の内側面４７ａを覆う断熱覆い部５１を、ダクト３２の壁部を構成するダクト形成部材３３に一体に設けたので、部品点数の増加を抑えることができ冷蔵庫の組立て工程の増加も抑えることができる。
【００３４】
図４は、本発明の第２の実施形態を示すものであり、以下第１の実施形態と異なるところを説明する。この第２の実施形態が上記第１の実施形態と異なる点は、ダンパ装置６１の構成にある。即ち、駆動機構部６２は、やはり、ダクト３２を上下に仕切る（塞ぐ）ように配置されるフレーム部６３と、このフレーム部６３の開口部（図示せず）を開閉するバッフル板６４と、このバッフル板６４を回動する駆動機構部６２とを一体にユニット化して構成されている。
【００３５】
そして、前記駆動機構部６２は、やはり縦長の矩形箱状をなす合成樹脂製のケース６５内に、モータ６６やギヤ機構（図示せず）を組込んで構成されているのであるが、ここでは、モータ６６がケース６５内の下部に配設されており、回転軸６７が駆動機構部６２のケース６５の上部から突出する構成としている。
【００３６】
また、これに伴いフレーム部６３は、前記駆動機構部６２のケース６５の内側面６５ａの上部から、ダクト３２の内側に延びるように該ケース６５に一体に設けられている。
尚、このバッフル板６４の内面（下面）にも第１の実施形態と同様のシール部材（図示せず）が設けられている。
【００３７】
上記構成のダンパ装置６１は、回転軸６７がケース６５の上部に配置されているので、除霜運転時にケース６５の内側面６５ａに結露が生じても、その結露水が回転軸６７付近に溜まることはない。この結果、回転軸６７の凍結を防止することができ、また、ヒータ等を設けることなく簡単な構成で済ませることができる。
【００３８】
本発明は、上記した各実施形態に限定されるものではなく、次のように変形または拡張することができる。
即ち、第１の実施形態では、ダンパ装置４１を覆う断熱覆い部５１をダクト形成部材３３に一体に設けたが、ダンパ装置４１の内側面４７ａのみを覆う断熱材を別部品として取付ける構成としても良い。第２の実施形態のダンパ装置６１においても第１の実施形態と同様にケース６５の内側面６５ａを覆う断熱材を設ける構成としても良い。
【００３９】
また、上記実施形態では、いわゆる２エバタイプの冷蔵庫において、切替室への冷気の流通を制御するダンパ装置に本発明を適用するようにしたが、１つの冷却器を備えるタイプの冷蔵庫における、冷却器からの冷気を冷蔵室に供給するためのダクト内に設けられるダンパ装置にも、本発明を提供することができる。さらには、上記した構成部品の材料や質等についても、一例を挙げたものに過ぎず、適宜変更することができる。
【図面の簡単な説明】
【００４０】
【図１】本発明の第１の実施形態を示すもので、バッフル板が開いた状態のダンパ装置の左側面図
【図２】冷蔵庫本体の縦断右側面図
【図３】（ａ）はバッフル板が閉じた状態のダンパ装置の斜視図、（ｂ）はバッフル板が開いた状態のダンパ装置の斜視図
【図４】本発明の第２の実施形態を示す図３（ａ）相当図
【図５】従来例を示す図３（ｂ）相当図
【符号の説明】
【００４１】
図面中、１１は冷蔵庫本体、１４は切替室（貯蔵室）、２６は冷凍室用冷却器（冷却器）、３２はダクト、３３はダクト形成部材（断熱部材）、４１、６１はダンパ装置、４２，６６はモータ、４３，６４はバッフル板、４４は開口部、４５，６３はフレーム部、４６，６２は駆動機構部、４７，６５はケース、４７ａ，６５ａは内側面（一側面）、４８，６７は回転軸、４９はシール部材、５１は断熱覆い部を示す。
【図１】
2008070052.tif 000003
【図２】
2008070052.tif 000004
【図３】
2008070052.tif 000005
【図４】
2008070052.tif 000006
【図５】
2008070052.tif 000007